(57)【要約】  コンテナ処理装置、そのようなものの利用法、および積み下ろしの方法。本発明は、積み下ろし時のコンテナの一時保管のためのコンテナ処理装置に関する。該コンテナ処理装置は、一組のコンテナユニットの一方のユニットが、他方のユニットの上に置かれている状態で、少なくとも一組のコンテナユニットを収容できるように配置される。該コンテナ処理装置は、荷台（５）と、支持構造（１）に接続された移送装置（６）とを有する支持構造（１）を有する。移送装置（６）は、該コンテナユニットを包囲するグリップフレーム（８）を有し、そのグリップフレーム（８）は、該グリップフレームを介したコンテナユニットの動作が可能であるような内寸を有する。また、本発明は、該コンテナ処理装置の利用法、および本発明のコンテナ処理装置による、積み下ろしのための方法にも関する。【選択図】図２
2013518788.tif 000002
【特許請求の範囲】
【請求項１】
積み下ろし時のコンテナ群の一時保管のためのコンテナ処理装置であって、前記コンテナ処理装置は、一組のコンテナユニット（Ｃ１、Ｃ２）における一方のユニット（Ｃ２）が、他方のユニット（Ｃ１）の上に置かれている状態で、少なくとも一組の前記コンテナユニットを収容できるように配置され、前記コンテナ処理装置は、支持構造（１）と、支持構造（１）に接続された荷台（５）と、支持構造（１）に接続された移送装置（６）とを備え、移送装置（６）は、コンテナユニットを横方向に移動させるように配置され、およびコンテナユニットの垂直方向の側壁のうちの少なくとも３つを包囲することができるように配置された横方向に移動可能なグリップフレーム（８）を備え、およびグリップフレーム（８）は、グリップフレーム（８）を介したコンテナユニットの垂直方向の動作が可能なように、水平面におけるコンテナユニットの断面寸法よりも大きな内寸を有することを特徴とするコンテナ処理装置。
【請求項２】
荷台（５）は、垂直方向に調節可能であることを特徴とする請求項１に記載のコンテナ処理装置。
【請求項３】
グリップフレーム（８）は、コンテナユニットの４つ全ての垂直方向の側壁を包囲するように配置されることを特徴とする請求項１または請求項２に記載のコンテナ処理装置。
【請求項４】
グリップフレーム（８）には、前記コンテナユニットの側壁の角部に位置する穴に挿入可能に配置される置換可能なスタッド（１８）が設けられていることを特徴とする請求項１〜請求項３のいずれか一項に記載のコンテナ処理装置。
【請求項５】
グリップフレーム（８）のスタッド（１８）は、前記グリップフレームの２つの長辺に配置され、およびコンテナユニットの２つの長辺の上方角部に位置する穴に挿入可能に配置されることを特徴とする請求項４に記載のコンテナ処理装置。
【請求項６】
各長辺上のスタッド（１８）の数は、２または４であることを特徴とする請求項４または請求項５に記載のコンテナ処理装置。
【請求項７】
前記支持構造は、荷台（５）がその最下位置にある場合に、荷台（５）よりも上の高さに配置される支持フレーム（４）を備え、その高さは、１つのコンテナユニットの高さを越えており、支持フレーム（４）は、コンテナユニットの垂直方向の側壁のうちの少なくとも３つを包囲することができるように配置され、および支持フレーム（４）を介したコンテナユニットの垂直方向の動作が可能なように、水平面におけるコンテナユニットの断面寸法よりも大きな内寸を有することを特徴とする請求項１〜請求項６のいずれか一項に記載のコンテナ処理装置。
【請求項８】
支持フレーム（４）には、コンテナユニットの２つの長辺の角部に位置する穴に挿入可能に配置される置換可能なスタッド（１６）が設けられることを特徴とする請求項７に記載のコンテナ処理装置。
【請求項９】
前記コンテナ処理装置には、前記コンテナ処理装置内に置かれたコンテナユニットからのロッキング装置（Ｌ）の取外しまたは前記コンテナユニットへの前記ロッキング装置の取付けのためのロック処理手段が設けられていることを特徴とする請求項１〜請求項９のいずれか一項に記載のコンテナ処理装置。
【請求項１０】
前記コンテナ処理装置には、前記各ロック処理手段からのおよび／または各ロック処理手段へのロッキング装置（Ｌ）の輸送のためのロック輸送手段（２１）が設けられることを特徴とする請求項９に記載のコンテナ処理装置。
【請求項１１】
前記コンテナ処理装置は、２つの隣接するセクションで構成され、各セクションは、請求項１〜請求項１０のいずれか一項に従って形成され、各移送装置（６ａ、６ｂ）は、他方のセクションから離れる方向において、一方のセクションで横方向にコンテナユニットを動かすように配置されることを特徴とするコンテナ処理装置。
【請求項１２】
コンテナユニットの積み下ろし時に、好ましくは、前記コンテナユニットからのおよび前記コンテナユニットへのロッキング装置の取外しおよび／または取付けのためにも、前記コンテナユニットを収容して移送するために用いられる、請求項１〜請求項１１のいずれか一項に記載のコンテナ処理装置の利用法。
【請求項１３】
コンテナ処理装置を用いた、船舶から陸上輸送車両へのコンテナの荷下ろし時の方法であって、記述した順序での以下のステップＡ〜ステップＥ、すなわち、
Ａ．垂直方向の荷下ろしによって、第１のコンテナユニットを前記コンテナ処理装置内に置くこと、
Ｂ．垂直方向の荷下ろしによって、第２のコンテナユニットを第１のコンテナユニットの真上に置くこと、
Ｃ．横方向に移動可能なグリップフレームを用いて、第１のコンテナユニットを前記コンテナ処理装置から横向きに下ろすこと、
Ｄ．前記コンテナ処理装置から第２のコンテナユニットを下降させること、
Ｅ．前記グリップフレームを用いて、第２のコンテナユニットを前記コンテナ処理装置から横向きに下ろすこと、
を特徴とする方法。
【請求項１４】
前記ステップＡおよびステップＢは、前記コンテナユニットが垂直タンデムリフトから荷下ろしされることによって同時に実行されることを特徴とする請求項１３に記載の方法。
【請求項１５】
ステップＢにおいて、第２のコンテナユニットが第１のコンテナユニットの上に載るように置かれることを特徴とする請求項１３に記載の方法。
【請求項１６】
ステップＢとステップＣの間に、次のステップ、すなわち、
Ｂ１．両コンテナユニットの上昇、
Ｂ２．第２のコンテナユニットの保持、
Ｂ３．第１のコンテナユニットの降下
が実行されることを特徴とする請求項１３〜請求項１５のいずれか一項に記載の方法。
【請求項１７】
ステップＤにおいて、前記コンテナ処理装置内に配置された荷台によって、第２のコンテナユニットが降下されることを特徴とする請求項１３〜請求項１６のいずれか一項に記載の方法。
【請求項１８】
コンテナ処理装置を用いた、船舶へのコンテナの積み込み時の方法であって、記述した順序での次のステップＦ〜ステップＪ、すなわち、
Ｆ．横方向に移動可能なグリップフレームを用いて、第１のコンテナユニットの側部から前記コンテナ処理装置に積み込むこと、
Ｇ．前記コンテナ処理装置内の第１のコンテナユニットを上昇させること、
Ｈ．前記グリップフレームを用いて、第２のコンテナユニットの側部から積み込むこと、
Ｉ．第１のコンテナユニットを垂直方向に荷下ろしすること、
Ｊ．第２のコンテナユニットを垂直方向に荷下ろしすること
を特徴とする方法。
【請求項１９】
ステップＧにおいて、第１のコンテナユニットは、前記コンテナ処理装置内に配置された荷台によって上昇されることを特徴とする請求項１８に記載の方法。
【請求項２０】
ステップＧとステップＨの間に、第１のコンテナユニットが保持され、ステップＨとステップＩの間に、第１のコンテナユニットは、第２のコンテナユニットの上に載るまで降下されることを特徴とする請求項１８または請求項１９に記載の方法。
【請求項２１】
ステップＩおよびステップＪは、垂直タンデムリフトによって同時に行われることを特徴とする請求項１８〜請求項２０のいずれか一項に記載の方法。
【請求項２２】
前記コンテナユニットが前記コンテナ処理装置内にある場合に、ロッキング装置は、各コンテナユニットから取外され、または各コンテナユニットに取付けられることを特徴とする請求項１３〜請求項２１のいずれか一項に記載の方法。
【請求項２３】
前記ロッキング装置は、ロック輸送手段によって、前記コンテナユニット上のロッキング装置の位置から、または前記ロッキング装置の位置へ輸送されることを特徴とする請求項２２に記載の方法。
【請求項２４】
前記方法は、請求項１〜請求項１１のいずれか一項に記載のコンテナ処理装置によって行われることを特徴とする請求項１３〜請求項２３のいずれか一項に記載の方法。
【発明の詳細な説明】
【技術分野】
【０００１】
本発明は、積み下ろし時のコンテナの一時保管のためのコンテナ処理装置に関する。
【０００２】
第２の態様において、本発明は、そのコンテナ処理装置の利用法に関する。
【０００３】
第３の態様において、本発明は、貨物コンテナのそれぞれ荷下ろしおよび積み込み時の方法に関する。
【０００４】
本出願におけるコンテナの場合、標準化された寸法からなる貨物コンテナ、限定するものではないが、主として、それぞれ６．０５ｍおよび１２．２ｍの長さと、２．４ｍの幅と、２．６ｍの高さとを有する、２０ｆｔ×８ｆｔ×８’６’ｆｔまたは４０ｆｔ×８ｆｔ×８’６’ｆｔ型のＩＳＯ規格のコンテナを対象とする。また、あまり一般的ではないが、２４、２８、４４、４５、４６、５３および５８ｆｔに相当する長さもある。したがって、Ｈｉｇｈ−Ｃｕｂｅ（ハイキューブ）コンテナまたはＳＥＣＵコンテナ等の標準化されているこれらおよびその他のコンテナサイズも、本出願における貨物コンテナの概念に含まれる。
【０００５】
コンテナを積み下ろしする場合、互いに隣接するいくつかのコンテナを一緒に持ち上げること、例えば、全体で略１つの４０ｆｔコンテナに相当する、長手方向に隣接して配列された２つの２０ｆｔコンテナを持ち上げることが一般的である。
【０００６】
ＩＳＯ規格のコンテナには、および他の標準化された貨物コンテナにも、規格に準拠して、標準化されたコンテナ角部が設けられている。そのようなコンテナ角部の各々には、該角部の３つの辺の各々に貫通孔がある。それらの角部は、様々な目的、特に、互いに積み重ねられたコンテナの垂直方向の結合、および昇降時の保持装置の連結を意図するものである。
【０００７】
本概念のコンテナユニットの場合、１つづつ積み下ろしされる個々のコンテナ、および１つのユニットとして一緒に積み下ろしされる長手方向に配列された２つのコンテナが対象である。
【０００８】
港湾用昇降クレーンが積み下ろしする場合、様々な種類のリフトがある。コンテナを１つのみ持ち上げられるシングルリフトと、２つのコンテナが１つのコンテナユニットを形成するように、それら２つのコンテナが長手方向に隣接して配列されているツインリフトと、２つのコンテナが横方向に隣接して配列されているか、または、４つのコンテナが横方向および長手方向に隣接して配列されているタンデムリフトと、長手方向に隣接して配列された２つのコンテナまたは２組のコンテナが、垂直方向に隣接して結合されて持ち上げられる垂直タンデムリフトが区別されている。
【０００９】
本発明によるコンテナ処理装置は、本発明の範囲内の様々な方法で形成することができ、また、上述したリフトの種類のうちのいずれか１つのために形成することができる。また、該処理装置は、上述した種類のリフトのうちのいくつかを操作するように使用するために適応させることもできる。
【背景技術】
【００１０】
コンテナを船との間で積み下ろしする場合、荷下ろし／積み込みプロセスの全体が早いことが重要である。このことは、船で運ばれるコンテナの数が、１０〜１５０００ＴＥＵ（ＴＥＵは、２０フィート相当物を示す標準規格である）程度の非常に大きな数になる可能性があるということを考慮すると、およびかなりの体積を占める各コンテナを考慮すると、運搬上の問題を伴う。その点に関連して、障害が発生することを回避すること、および昇降クレーンが、中断することなく継続的に稼働することを可能にすることが重要である。
【００１１】
このことは、特に運送設備、一般的には貨物自動車／トラックは、荷下ろし時に、コンテナが昇降クレーンで荷揚げされる港湾内のエリアからコンテナ群を運ばなければならず、最も好ましくは、コンテナが昇降クレーンから下ろされたときに可能な限り早急にコンテナを運ぶのに利用できなければならないことを意味する。
【００１２】
この観点から考えると、言うまでもなく、コンテナが、そのプラットホーム上に降ろされるように、持ち上げの完了時に、貨物自動車が定位置にあることが理想である。次の持ち上げの完了時には、該貨物自動車が走り去って、空の貨物自動車が、次のコンテナをいつでも収容できなければならない。
【００１３】
このような理想的なタイミングは、実際には実現するのが困難であり、このことを可能にするために複数の貨物自動車を並ばせることは、貨物自動車群の遊休時間のコストを伴い、および大きなスペースを必要とする。
【００１４】
また、船舶輸送におけるコンテナ群は、多くのそれらのコンテナ群が積み重ねられる場合、互いに垂直方向に固定されるという複雑さがある。この目的のために、コンテナの上面および下面の各コンテナ角部には穴がある。各角部には、上にあるコンテナの穴に突出する上方に向けられた部材と、下にあるコンテナの穴に突出する下方に向けられた部材とを備えた独立したロッキングユニットが配置されている。該ロッキングユニットは、船舶輸送において積み重ねられたコンテナを固定する。各ロッキングユニットは、単純なハンドグリップにより、それぞれ固定および非固定状態にセットすることができる。このようなロッキングユニットには様々な設計がある。１つの実施例が、特許文献１に詳細に開示されており、該特許文献は、参照によって本出願に含まれる。
【００１５】
複雑化する要因は、それぞれ、荷下ろし時に取外し、および積み込み時に取り付けなければならないそれらのロッキングユニットの、いわゆるデコーニング（ｄｅｃｏｎｉｎｇ）およびコーニング（ｃｏｎｉｎｇ）から成る。このようにして、最適化されたタイミングをより困難にするさらなる処理ステップが加わる。
【００１６】
積み下ろし時において、コンテナ群の陸揚げと該コンテナ群の運搬とを完全に同期させることによる困難さ、およびロッキングユニットを取外す必要性は、１つ以上のコンテナを地上に一時的に陸揚げする必要性を伴う。このことは、スペースを考慮すると、コンテナが多い場合には、許容することができない。また、これによって、昇降クレーンの能力が、桟橋から貨物自動車までコンテナを持ち上げて運ぶための第２の時間を利用しなければならないということが必要になり、該昇降クレーンの利用効率が低下する。別法として、独立した積み替えクレーンを用いてもよい。
【００１７】
上述した問題は、当然、船積み時にも起こる。
【００１８】
この問題に対処するために、既に、積み下ろしされ、およびクレーンおよび貨物自動車によってすぐに処理することのできないコンテナのためのある種の中間保管プラットホームを配置することが知られている。このようなものの実施例は、特許文献２、特許文献３および特許文献４に開示されている。
【００１９】
このような公知のプラットホームにおいては、コンテナ群は、横方向に並んで置かれる。このことは、港湾ターミナルにおけるスペースの問題を容易に引き起こす。場合によっては、この問題は、貨物自動車がプラットホームの下を通過できるように、該プラットホームを持ち上げることによって解決されているが、該プラットホームが巨大な構造物になる一因となっている。
【００２０】
また、横方向の中間的保管は、昇降装置が、かなり複雑になり、かなりのスペースを要することになり、およびかなり高価になるということを伴う。
【００２１】
別の問題が、垂直タンデムリフトに関して存在する。コンテナが、後に積み重ねられて置かれるということは、受領、コーニング／デコーニング、および貨物自動車への積み替えを比較的複雑にする。
【先行技術文献】
【特許文献】
【００２２】
【特許文献１】欧州特許第１８９３５０８号明細書
【特許文献２】米国特許第６６０２０３６号明細書
【特許文献３】米国特許第６６５２２１１号明細書
【特許文献４】米国特許第６６８５４１８号明細書
【発明の概要】
【発明が解決しようとする課題】
【００２３】
本発明の目的は、従来の処理と比較して、船の積み下ろし時のコンテナの処理時間を減らすことである。その点に関連して、コンテナ群の少しの間の一時的な中間保管部の配置に基づいている既知の解決策に付随する欠点をなくすように、本発明の処理装置は、本発明の範囲内にある。
【課題を解決するための手段】
【００２４】
本発明の第１の態様によれば、記載した上記目的はコンテナ処理装置によって実現され、該コンテナ処理装置は、ペアの一方のユニットが他方のユニットの上に置かれている状態で、少なくとも１組のコンテナユニットを収容できるように配置され、そのコンテナ処理装置は、支持構造と、該支持構造に接続された荷台と、該支持構造に接続された移送装置とを備え、その移送装置は、コンテナユニットの垂直方向の側壁のうちの少なくとも３つを包囲することができるように配置されたグリップフレームを備え、およびそのグリップフレームは、該グリップフレームを介したコンテナユニットの垂直動作が可能なように、水平面におけるコンテナユニットの断面寸法よりも大きな内寸を有しているという特別な特徴を有する導入部によって示唆されている種類のコンテナ処理装置である。
【００２５】
さらに、垂直タンデムリフトによって持ち上げられるコンテナの有効な処理を実現できることが望ましい。
【００２６】
該コンテナ処理装置が、コンテナを積み重ねて収容できるという事実により、該コンテナ群は、比較的小さな空間要件で、中間的に保管することができる。このことは、上記移送装置の特別な設計により、コンテナユニットがどこに置かれているかに関係なく、該コンテナ処理装置からの該コンテナユニットの降ろしやすさを制限されることなく実現することができる。
【００２７】
通常は、該コンテナ処理装置は、２つのコンテナユニットを積み重ねて収容するのに最も適している。しかし、３つ以上の複数のコンテナユニットの積み重ねを可能にするコンテナ処理装置もまた、本発明の範囲内にある。
【００２８】
好適な実施形態によれば、上記荷台は、垂直方向に調節可能である。
【００２９】
それにより、該コンテナユニットの受領の機構、および該コンテナ処理装置からの該コンテナユニットの荷下ろしが容易になる。
【００３０】
さらなる好適な実施形態によれば、該グリップフレームは、コンテナユニットの４つ全ての垂直方向の側壁を包囲するように配置される。
【００３１】
それにより、該フレームは、形状が安定し、および該コンテナユニットを該コンテナ処理装置から下ろす際に、該コンテナユニットの該移送装置への最適な固定を可能にする。
【００３２】
追加的な好適な実施形態によれば、該グリップフレームには、該コンテナユニットの側壁の角部に配置された穴に挿入可能なように配置された置換可能なスタッドが設けられている。
【００３３】
それにより、該移送装置は、追加的な装備を何ら要することなく、そのグリップフレームを介して、該コンテナユニットに直接接続することができる。このことは、該コンテナユニットが該移送装置によって持ち上げられる際の処理を容易にする信頼性の高い独特なグリップフレームをもたらす。間違った結合のリスクは最小限になり、その機能は、信頼できる。また、該移送装置は、その設計がシンプルになる。
【００３４】
追加的な好適な実施形態によれば、該フレームのスタッドは、該グリップフレームの２つの長辺に配置され、およびコンテナユニットの２つの長辺における上方角部に配置された穴に挿入可能に配置される。
【００３５】
載荷の観点からは、最小限の突出部によって、該長辺に固定部を有することが好ましい。上部での取り付けは、最良の安定性をもたらす。
【００３６】
追加的な好適な実施形態によれば、各長辺上の該スタッドの数は、２または４である。
【００３７】
このことは、コンテナの各辺にある穴の数に対する便宜的な適応を意味し、またこの場合、上部におけるまたは底部における、好ましくは上部における穴のペアのうちの１つのみが利用される。
【００３８】
該コンテナユニットが単一のコンテナから成る場合は、２つのスタッドで十分である。このような用途のみを対象とする本発明によるコンテナ処理装置は、それに応じて、該グリップフレームのそれぞれの桁に２つのスタッドを設けることができる。
【００３９】
該コンテナユニットが２つのコンテナから成る場合は、該コンテナユニットの中間部に一組の穴もある。その結果、該コンテナのインターロッキング装置を除去するために、該リフトでそれらの穴も利用するのに最適となる可能性がある。そうすることで、スタッドの数は、各辺上で４になる。このようなグリップフレームは、必然的に、コンテナを１つだけ持ち上げるのに用いることができる。
【００４０】
さらなる実施形態によれば、該支持構造は、該荷台がその最下位置にある場合に、該荷台よりも上の高さに配置される支持フレームを備え、その高さは、１つのコンテナユニットの高さを越えており、該支持フレームは、コンテナユニットの垂直方向の側壁のうちの少なくとも３つを包囲することができるように配置され、および該支持フレームを介したコンテナユニットの垂直方向の動作が可能なように、水平面におけるコンテナユニットの断面寸法よりも大きな内寸を有する。
【００４１】
上にあるコンテナユニットは、下方のコンテナユニットに接触して隣接することなく、該支持フレームを介して、該コンテナ処理装置の支持構造によって運ぶことができる。それにより、簡単な方法で、下方のコンテナユニットは、上方のコンテナユニットに邪魔されることなく、該移送装置によって移送できることが可能になる。コンテナユニットよりも大きい該支持フレームのおかげで、コンテナユニットは、該支持フレームを垂直方向に通過することができ、その結果、該コンテナユニットの受領および持上げ移動が容易になる。
【００４２】
さらなる好適な実施形態によれば、該支持フレームにも、コンテナユニットの２つの側壁の角部に配置された穴に挿入可能に配置される置換可能なスタッドが設けられている。
【００４３】
それにより、該支持フレームによって支えられる該コンテナユニットは、同様の方法で形成されたグリップフレームについて既に記載されている対応する利点を伴って、単純な方法で固定することができる。
【００４４】
追加的な好適な実施形態によれば、該コンテナ処理装置には、該コンテナ処理装置内に置かれたコンテナユニットからのロッキング装置の取外しおよび／または該コンテナユニットへの該ロッキング装置の取付けのためのロック処理手段が設けられている。
【００４５】
それにより、最初に述べた必須の適用、および港湾ターミナルにおける積み替え時の各ロッキング装置の取外しが効率的になる。ロック処理手段が設けられているコンテナ処理装置のおかげで、この手順は、コンテナユニットが該コンテナ処理装置内にあるときと同時に実行することができ、それによって時間が節約できる。該ロック処理手段により、高い安全性が確保された状態で、このための手動操作の必要性も低減される。
【００４６】
追加的な好適な実施形態によれば、該コンテナ処理装置には、各ロック処理手段からのおよび／または各ロック処理手段へのロッキング装置の輸送のためのロック輸送手段が設けられている。
【００４７】
このようにして、誰かが走り回って、該コンテナユニットの各コンテナの各角部における取外し位置からロッキング装置を集める必要性、およびそれらのロッキング装置を固定する際の対応する手段が不要になる。このことは、手動操作の必要性をさらに低減し、および人身傷害の危険性が減る。
【００４８】
好ましくは、該輸送手段は、該コンテナユニットの１つの短辺に位置する場所へまたは該場所から該ロッキング装置を輸送するように配置される。
【００４９】
追加的な好適な実施形態によれば、該コンテナ処理装置は、２つの隣接するセクションで構成されており、各セクションは、本発明に従って形成され、各移送装置は、他方のセクションから離れる方向において、一方のセクションで横方向にコンテナユニットを動かすように配置される。
【００５０】
多くの港湾ターミナルでは、クレーンが２つのコンテナユニット、例えば、２つの４０ｆｔコンテナまたは４つの２０ｆｔコンテナを並べて持ち上げることが行われている。本発明のこの実施形態により、このようないわゆるタンデムリフトからもコンテナユニットを収容できるように適応される。この二重設計からなるコンテナ処理装置は、必然的にシングルリフトにも利用することができる。
【００５１】
好ましくは、本発明によるコンテナ処理装置は、上部の角部に、および場合によっては、各長辺の中間部にもガイドフランジが設けられる。これは、コンテナユニットが昇降クレーンから下ろされる際の該コンテナユニットの案内を容易にするためである。
【００５２】
好ましくは、該コンテナ処理装置は、船舶の位置の変化の結果としての昇降クレーンの位置の変化に適応可能であるように、車輪で運ばれる。また、該コンテナ処理装置は、このようにして容易に移送できることが利点である。
【００５３】
本発明のコンテナ処理装置の上述した好適な実施形態は、請求項１に従属する請求項で定義されている。追加的な好適な実施形態は、必然的に、上述した好適な実施形態の実現可能な全ての組合せから成る可能性があることを重視すべきである。
【００５４】
本発明の第２の態様から、記載された目的は、特に、該コンテナ処理装置の好適な実施形態のいずれか１つにおいて、コンテナユニットの積み下ろし時に該コンテナユニットを収容して移送するための本発明のコンテナ処理装置を利用することによって実現される。
【００５５】
好ましくは、その利用は、該コンテナユニットからのロッキング装置の取外し、および／または該コンテナユニットへのロッキング装置の取付けも含む。
【００５６】
本発明の第３の態様から、記載されている目的は、記述した順序でのステップＡ〜ステップＥ、すなわち、
Ａ．垂直方向の荷下ろしによって、第１のコンテナユニットをコンテナ処理装置内に置くこと、
Ｂ．垂直方向の荷下ろしによって、第２のコンテナユニットを第１のコンテナユニットの真上に置くこと、
Ｃ．第１のコンテナユニットをコンテナ処理装置から横向きに下ろすこと、
Ｄ．該コンテナ処理装置内の第２のコンテナユニットを下降させること、
Ｅ．第２のコンテナユニットを該コンテナ処理装置から横向きに下ろすこと、
における特別な方策を備える、冒頭で述べた種類の荷下ろしのための方法によって実現される。
【００５７】
好適な実施形態によれば、ステップＡおよびステップＢは、第１および第２のコンテナユニットが垂直タンデムリフトから降ろされることによって同時に実行される。
【００５８】
それにより、上記方法は、この種のリフトで実現される合理化利得に適応され、そのようなリフトに関連する問題を防ぐ。
【００５９】
本発明の荷下ろし方法の好適な実施形態によれば、ステップＢは、第２のコンテナユニットが第１のコンテナユニットの上に載るように置かれるように実行される。
【００６０】
追加的な好適な実施形態によれば、ステップＢとステップＣの間に、次のステップ、すなわち、
Ｂ１．２つのコンテナユニットの上昇、
Ｂ２．第２のコンテナユニットの保持、
Ｂ３．第１のコンテナユニットの降下
が実行される。
【００６１】
追加的な好適な実施形態によれば、ステップＤにおいて、該コンテナ処理装置内に配置された荷台を用いて、第２のコンテナ装置が降下される。
【００６２】
本発明の第３の態様から、記載された目的は、記述した順序でのステップＦ〜ステップＪ、すなわち、
Ｆ．第１のコンテナユニットの側部からコンテナ処理装置に積み込むこと、
Ｇ．該コンテナ処理装置内の第１のコンテナユニットを上昇させること、
Ｈ．該コンテナ処理装置内の第１のコンテナユニットの下に積み込まれるように、第２のコンテナユニットの側部から積み込むこと、
Ｉ．第１のコンテナユニットを垂直方向に荷下ろしすること、
Ｊ．第２のコンテナユニットを垂直方向に荷下ろしすること
における特別な方策を備える、冒頭で述べた種類の積み込みのための方法によっても実現される。
【００６３】
該積み込み方法の好適な実施形態によれば、ステップＧにおいて、第１のコンテナユニットは、該コンテナ処理装置内に配置された荷台を用いて上昇される。
【００６４】
該積み込み方法の追加的な好適な実施形態によれば、第１のコンテナユニットは、ステップＧとステップＨの間は保持され、その後、第１のコンテナユニットは、第２のコンテナユニットの上に載るまで、ステップＨとステップＩの間に下げられる。
【００６５】
該積み込み方法の追加的な好適な実施形態によれば、ステップＩとステップＪは、垂直タンデムリフトによって同時に行われる。
【００６６】
積み下ろしの追加的な好適な実施形態によれば、ロッキング装置は、該コンテナユニットが該コンテナ処理装置内にあるときに、各コンテナユニットから取外され、または、各コンテナユニットに取付けられる。
【００６７】
追加的な好適な実施形態によれば、ロッキング装置は、ロック輸送手段により、該コンテナユニット上のロッキング取付け位置からまたは該取付け位置へ輸送される。
【００６８】
追加的な好適な実施形態によれば、該荷下ろし／積み込み方法は、本発明による、特に、本発明の好適な実施形態のいずれか１つによるコンテナ処理装置によって行われる。
【００６９】
本発明の方法の上述した好適な実施形態は、それぞれ請求項１３および請求項１８に従属する請求項で定義される。本発明の方法のさらなる好適な実施形態は、本発明のコンテナ処理装置の様々な好適な実施形態から得られる方策から成っていてもよいことを重視すべきである。
【００７０】
本発明の利用法および本発明の方法は、本発明のコンテナ処理装置および好適な実施形態の利点に相当し、および既に説明されている利点に相当する利点を有する。
【００７１】
本発明は、添付図面を参照し、本発明の実施形態の実施例に関する後述の詳細な説明によってより詳細に説明する。
【図面の簡単な説明】
【００７２】
【図１】港湾ターミナルにおける本発明の周囲環境の概略図である。
【図２】本発明の第１の実施形態の実施例によるコンテナ処理装置の斜視図である。
【図３】コンテナ処理装置が荷下ろし時に用いられる場合のステップを順に示す図である。
【図４】コンテナ処理装置が荷下ろし時に用いられる場合のステップを順に示す図である。
【図５】コンテナ処理装置が荷下ろし時に用いられる場合のステップを順に示す図である。
【図６】コンテナ処理装置が荷下ろし時に用いられる場合のステップを順に示す図である。
【図７】コンテナ処理装置が荷下ろし時に用いられる場合のステップを順に示す図である。
【図８】コンテナ処理装置が荷下ろし時に用いられる場合のステップを順に示す図である。
【図９】コンテナ処理装置が荷下ろし時に用いられる場合のステップを順に示す図である。
【図１０】コンテナ処理装置が荷下ろし時に用いられる場合のステップを順に示す図である。
【図１１】コンテナ処理装置が荷下ろし時に用いられる場合のステップを順に示す図である。
【図１２】コンテナ処理装置が荷下ろし時に用いられる場合のステップを順に示す図である。
【図１３】コンテナ処理装置が荷下ろし時に用いられる場合のステップを順に示す図である。
【図１４】第２の実施形態の実施例によるコンテナ処理装置の概略端部図ある。
【図１５】第３の実施形態の実施例によるコンテナ処理装置における概略的な処理ステップを示す図である。
【図１６】第３の実施形態の実施例によるコンテナ処理装置における概略的な処理ステップを示す図である。
【発明を実施するための形態】
【００７３】
荷下ろし時の様々なステップを参照し、上記コンテナ処理装置およびそれがどのように用いられるかを以下で説明する。積み込みは、主に類似の方法で、本質的に逆の順序である論理的に異なる順序で行う。
【００７４】
図１には、本発明によるコンテナ処理装置を使用しようとする場合の状況が概略的に図示されている。
【００７５】
コンテナは、本発明によるコンテナ処理装置１０１内に下ろされるクレーン１０３によって、船１０２から荷下ろしされる。そして、該コンテナ処理装置から、コンテナ群は、後に貨物自動車１０４で運ぶために、該コンテナ処理装置の長手方向側の側に予め配置されている該貨物自動車へ運ばれる。
【００７６】
上記コンテナ処理装置は、該コンテナ処理装置の斜視図であり、およびコンテナをいくつか収容する前の空の状態である図２により詳細に図示されている。該コンテナ処理装置は、底部２と、４つの角部にある支持ポスト３と、上部に配置された矩形支持フレーム４とから成る支持構造１を有するボックス形状になっている。図示した実施例において、該支持構造は、１つの長辺の中間部近傍に配置された２つの中央支持ポスト３ａも有している。底部２には荷台５があり、該荷台は、底部２の該荷台の下にある詳細に図示されていない駆動装置によって垂直方向に調節可能である。該駆動装置は、電動モータ、または空気圧操作または油圧操作式等の従来のタイプであってもよい。
【００７７】
該コンテナ処理装置にはさらに、リンク機構７の上端部に矩形状のグリップフレーム８を備えた、各端部壁における該リンク機構から成る移送装置６が設けられている。リンク機構７は、底部２とグリップフレーム８とに関節結合されており、およびその略中間部に接合部９も有している。リンク機構７は、それを用いてグリップフレーム８を垂直および水平の両方向に動かすことのできる油圧ピストン１０および１１によって作動される。
【００７８】
図示されている実施例は、長手方向に一緒に配列された２つの２０ｆｔコンテナに相当するコンテナユニット、または、単一の４０ｆｔコンテナを対象としている。以下においては、該コンテナ処理装置の機能について、２つの２０ｆｔコンテナに関連して説明する。
【００７９】
支持フレーム４およびグリップフレーム８は、これらのうちの各１つに対して２つの２０ｆｔコンテナの通過が可能な内寸を有している。それに応じて、各フレームは、１２．２ｍよりもわずかに長い内側長さと、２．５ｍよりもわずかに長い内側幅、適切には数ｃｍ、または、各方向において、最大で、ペアで数十センチメートル長い内側長さおよび内側幅を有している。該コンテナユニットの通過が問題なく行えるように、該コンテナユニットの側面と、それぞれのフレームとの間の遊びは、十分な大きさとすべきである。一方で、フレーム４、８のいずれかへのコンテナユニットのクランプを容易にするには、その遊びは、特に横方向において、可能な限り小さくすべきである。これらの要求間で正確に判断したバランスは、各内寸を、該コンテナユニットの対応する寸法よりも１〜３０ｃｍ長い範囲、好ましくは、５〜１５ｃｍ長い範囲にすべきであることを意味する。
【００８０】
実施例において、該コンテナ処理装置は、それぞれの長辺に正面と背面を有し、中央の支持ポスト３ａは、その背面に位置している。該正面は、全体的に開口しており、コンテナユニットが該正面を介して移送可能になることを意図している。それに応じて、該正面の隅柱３間の距離は、該コンテナユニットの長さよりもいくぶん大きくなっており、また、同時に移送装置６の端部壁部が、移送動作時に隅柱間に余裕があるような該距離になっている。それに応じて、該距離は、１２．５〜１３ｍ程度になっており、また高さ、すなわち、最下位置の荷台５と、支持フレーム４との間の距離は、少なくとも２．６ｍ、好適には２．８〜３．５ｍである。
【００８１】
荷台５は、コーニングおよびデコーニングを容易にするために、該コンテナユニットの角部に対して余裕を与えるように、各角部および中間部に凹部１２を有している。
【００８２】
支持フレーム４には、外側斜め上方に向けられたガイドプレート１３が、各角部に傾斜して設けられており、および斜め外側に向けられた平らなガイドプレート１４が、各長辺
の中間部に設けられている。このようにして、コンテナユニットがクレーンから下ろされる際のセンタリングが容易になっている。さらに、該底部には、車輪１５が備えられている。
【００８３】
支持フレーム４の長辺上の各桁には、それぞれの桁を介して穴１７に置換可能な４つのスタッド１６がある。スタッド１６は、それらがそれぞれの桁の内側に突出するように、図示の位置から内側に押込むことができる。これらのスタッドは、長手方向において、該コンテナの角部のうちの１つにおいて、それぞれ穴の真正面に位置するように、該長手方向に配置される。中間部の２つのスタッドは、該コンテナユニットが、３つの２０ｆｔコンテナから成る場合に、互いに対向するコンテナの端部において、該角部に突出可能であるように意図されている。スタッド１６には、例えば、電動または油圧式のアクチュエータが設けられており、また、該スタッドは、それぞれ、電線路または油圧ラインを介して遠隔制御される。これは、該コンテナ処理装置の処理ステップにより、手動でまたは自動的に起動することができる。これらのスタッドは、同時に作動される。その作動システムは、該コンテナ処理装置が、４０ｆｔコンテナのために使用される場合には、中間部のスタッド１６が作動しないように構成することができる。
【００８４】
該グリップフレームの長辺上の各桁には、該桁の穴１９に配置された対応するスタッド１８がある。それらの機能および動作は、該支持フレームのスタッド１６の場合に述べたのと同様の種類のものである。
【００８５】
以下において、荷下ろしを、各コンテナユニットが２つの長手方向に配列された２０ｆｔコンテナから成る、すなわち、クレーンがツインリフトを用いて機能する場合の実施例で説明する。本質的に、その記載は、当然ながら４０ｆｔコンテナのシングルリフトにも当てはまる。
【００８６】
図３は、荷下ろしプロセスの第１のステップを示す。ここでは、該クレーンが、垂直タンデムリフトによって、積み重ねられた２つのコンテナユニットＣ１およびＣ２を既に降ろしている。実際には、該コンテナ処理装置は、これらのコンテナユニットを別々のリフトで収容することができる。
【００８７】
下方のコンテナユニットＣ１は、その最下位置にある荷台５に載っている。該最下のコンテナユニットの下面に固定されているロッキングユニットは、荷台５の凹部１２に突出する。その結果、それらはアクセス可能になり、および固定することができる。
【００８８】
図４は、次のステップを示し、荷台５は、既に一定距離上昇されており、それによってコンテナユニットＣ１およびＣ２の両方を持ち上げている。荷台５の上昇は、最上のコンテナユニットＣ２が、該穴が支持フレーム４の各スタッド１６の真正面で下方のコンテナの角部にある状態で位置するように適応される。荷台５が上昇すると、ロックされていないロッキングユニットが下方のコンテナユニットＣ１の下面から外れる。この位置で、スタッド１６は、該コンテナの角部の穴に移動し、それが図５に図示されている。
【００８９】
このとき、２つのコンテナユニットを接続する該ロッキングユニットは、それらのロッキングユニットが、下方のコンテナユニットＣ１の下面から解放されるが、まだ、上方のコンテナユニットＣ２の下面にしがみつくように固定することができる。
【００９０】
図６に示すように、荷台５は下げられた後であり、下方のコンテナユニットＣ１は、下に移動している。上方のコンテナユニットＣ２は、支持フレーム４のスタッド１６によって支えられたままである。グリップフレーム８は、該フレームのスタッド１８が、下方のコンテナユニットＣ１の上部のコンテナ角度の穴と同じ高さにあるように配置される。
【００９１】
図７に示す次のステップにおいては、グリップフレーム８のスタッドは、下方のコンテナユニットの穴に挿入される。
【００９２】
次に、下方のコンテナユニットＣ１は、該コンテナ処理装置から貨物自動車１０４へ積み込まれる状態にあり、これを図８に示す。これは、リンク機構７と、移送装置６の油圧ピストン１０、１１とによって実施され、コンテナユニットＣ１の前部は、やや持ち上げられて、その後、該コンテナ処理装置の前面を介して貨物自動車１０４へ向かって横方向外側へ移動される。
【００９３】
図９においては、移送装置６は、コンテナユニットＣ１を該貨物自動車の荷台に置いており、図１０においては、コンテナユニットＣ１がグリップフレーム８を除去するように、該コンテナの角部の穴から引っ込められている該グリップフレームのスタッドによって、該荷台に降ろされている。
【００９４】
下方のコンテナユニットＣ１が該貨物自動車に降ろされるのと同時に、該コンテナ処理装置の荷台５が上昇し、および図では、コンテナユニットＣ２に向かって上方へ移動中である。
【００９５】
図１１においては、グリップフレーム８は、該コンテナ処理装置の内側に向かう戻り動作を始めるために、該貨物自動車上のコンテナユニットＣ１から少し持ち上げられている。同時に、荷台５は、上方のコンテナユニットＣ２の下面に到達しており、および支持フレーム４のスタッド１６は、該上方のコンテナユニットＣ２が荷台５に載るように、該コンテナユニットＣ２の角部から外されている。
【００９６】
図１２に示すように、移送装置６が引っ込められるのと同時に、荷台５が、その下方端部位置まで下げられ、上方のコンテナユニットＣ２も一緒に動く。
【００９７】
図１３においては、グリップフレーム８は、スタッド１８の挿入後に、第２のコンテナユニットＣ２を、該コンテナ処理装置の側に進められている新たな貨物自動車に積み込むために、第２のコンテナユニットＣ２の周りに既に配置されている。これは、第１のコンテナユニットＣ１の場合に述べたのと同じ方法で行われる。しかし、この段階では、移送荷台５は静止している。その後、再び、昇降装置が該コンテナ処理装置内に引っ込められると、図２と同様に、再び２つのコンテナユニットを収容できる状態となる。
【００９８】
該コンテナ処理装置は、図示した実施例における寸法以外の他の寸法を有してもよいことを認識すべきである。例えば、該コンテナ処理装置は、２０ｆｔコンテナに相当する長さ、または、市場に出回っている他の標準的な貨物コンテナのいずれか１つに相当する寸法を有してもよい。実施例では、２つのコンテナユニットが積み重ねられているコンテナ処理装置が図示されている。しかし、このようなものは、３つ以上のコンテナユニットを積み重ねて処理できるように容易に変更できることを理解すべきである。
【００９９】
さらなる実施例を図１４に概略的に示すが、ここでは、該コンテナ処理装置は、原則的に、背面が互いに接触して一体化されている、図２〜図１３に示すタイプの２つのセクションから成り、各セクションは、移送装置６ａ、６ｂ、荷台５ａ、５ｂ等を有している。この実施例において、コンテナユニットは、各セクションから同時に荷下ろしすることができ、その荷下ろしは、各長辺に来た貨物自動車に対して外側へ向かって行われる。
【０１００】
図１５および図１６は、コーニングおよびデコーニングが、少なくとも一部機械化されている追加的な実施形態の実施例を示す。
【０１０１】
図１５は、コンテナ処理装置の底部２の概略図であり、該コンテナ処理装置の残りの部分は省略されている。該底部には、各コンテナ角部の装置（図示せず）によって、該コンテナユニットの１つから既に取外されているロッキングユニットＬの処理のために、テーブル２０が配置されている。第３のコンベヤは、各コンテナ角部の位置から取外されたロッキングユニットＬを、該コンテナ処理装置の１つの短辺へ搬出し、そこで、それらのロッキング装置は、さらなる移送のためにマガジン２２に集められる。
【０１０２】
図１６は、ロッキングユニット群がマガジン２２に既に集められている状態を示す。
【０１０３】
この実施形態の実施例による設計の場合、コーニングも実行することができ、ロッキングユニット群は、第３のコンベヤ２１によって、マガジン２２から、該ロッキングユニットが各コンテナ角部の真正面にある位置まで搬送される。
【図１】
2013518788.tif 000003
【図２】
2013518788.tif 000004
【図３】
2013518788.tif 000005
【図４】
2013518788.tif 000006
【図５】
2013518788.tif 000007
【図６】
2013518788.tif 000008
【図７】
2013518788.tif 000009
【図８】
2013518788.tif 000010
【図９】
2013518788.tif 000011
【図１０】
2013518788.tif 000012
【図１１】
2013518788.tif 000013
【図１２】
2013518788.tif 000014
【図１３】
2013518788.tif 000015
【図１４】
2013518788.tif 000016
【図１５】
2013518788.tif 000017
【図１６】
2013518788.tif 000018
【国際調査報告】
2013518788.tif 000019
2013518788.tif 000020
2013518788.tif 000021
2013518788.tif 000022